(57)【要約】【課題】網戸において、戸枠と防虫網との分解組立時の作業性を改善し、誰でもが防虫網を弛みなく戸枠に装着することができるようにする。面状ファスナーのファスナー要素を防虫網に良好な外観で取り付けられるようにする。【解決手段】面状ファスナー５のファスナー要素５１を１枚の溶着体６１でなる帯状結合体６を介して網体３の縁部３２に取り付ける。溶着体６１は、網体３１の縁部３２を挟んで互いに重なり合うように２つ折りに折り返したシート状又はフィルム状に形成する。溶着材６１の重なり箇所を線状に溶着する。防虫網３のファスナー要素５１を戸枠２のファスナー要素５２に着脱する。【選択図】　　　　図２
2004044270.tif 000002
【特許請求の範囲】
【請求項１】
面状ファスナーを形成している一対のファスナー要素のうちのいずれかのファスナー要素が網体の縁部に取り付けられ、そのファスナー要素が戸枠に具備された相手側ファスナー要素に着脱される網戸用防虫網であって、網体の縁部へのファスナー要素の取り付けが、網体の縁部を挟んで互いに重なり合うように折り返されたシート状又はフィルム状の溶着材の重なり箇所が溶着されてなる結合体に固定されて、上記網体の縁部に取り付けられていることを特徴とする網戸用防虫網。
【請求項２】
面状ファスナーを形成している一対のファスナー要素のうちのいずれかのファスナー要素が網体の縁部に取り付けられ、そのファスナー要素が戸枠に具備された相手側ファスナー要素に着脱される網戸用防虫網であって、網体の縁部へのファスナー要素の取り付けが、網体の縁部を挟んで互いに重なり合うように配備されたシート状又はフィルム状の一対の溶着材の重なり箇所が溶着されてなる結合体に固定されて、上記網体の縁部に取り付けられていることを特徴とする網戸用防虫網。
【請求項３】
面状ファスナーを形成している一対のファスナー要素のうちのいずれかのファスナー要素が網体の縁部に取り付けられ、そのファスナー要素が戸枠に具備された相手側ファスナー要素に着脱される網戸用防虫網であって、網体の縁部へのファスナー要素の取り付けが、網体の縁部を挟んで互いに重なり合うように上記ファスナー要素とシート状又はフィルム状の溶着材が配備され、この溶着材による溶着により上記ファスナー要素と溶着材の重なり箇所が固定され、上記ファスナー要素が網体の縁部に取り付けられていることを特徴とする網戸用防虫網。
【請求項４】
上記溶着材の溶着が、上記網体の縁部に沿って線状になされている請求項１、請求項２、請求項３のいずれかに記載した網戸用防虫網。
【請求項５】
面状ファスナーを形成している一対のファスナー要素のうちのいずれかのファスナー要素が網体の縁部に取り付けられた防虫網が装着される網戸用戸枠であって、
上記防虫網のファスナー要素が着脱される相手側ファスナー要素が備えられていることを特徴とする網戸用戸枠。
【請求項６】
請求項１、請求項２、請求項３、請求項４のいずれか１項に記載した網戸用防虫網と請求項５に記載した網戸用戸枠との組合せでなることを特徴とする網戸。
【発明の詳細な説明】
【０００１】
【発明の属する技術分野】
本発明は、網戸用防虫網、網戸用戸枠及び網戸に関する。
【０００２】
【従来の技術】
図７を参照して従来例を説明する。同図（Ａ）において、１は網戸で、戸枠２と戸枠２に張設された防虫網３としての網体３１とを備えている。戸枠２には木製、鉄製、アルミニウム製などがある。網体３１は、ナイロン繊維などの樹脂繊維を使った織物でなる。そして、戸枠２に網体３１を張架する作業は次の手順に従っていた。すなわち、同図（Ｂ）のように、戸枠２に溝部２１を設けておき、網体３１の縁部３２をその溝部２１との重なり箇所に配備した後、網体３１の縁部３２の上からゴム状の枠材４を上記溝部２１に圧入状に嵌め込む（矢印）ことにより、同図（Ｃ）のように溝部２１内に網体３１の縁部３２を押し込む。これにより、同図（Ａ）のように、矩形の網体３１の４辺の縁部３２が戸枠２の矩形環状の溝部２１に枠材４を介して固定される。
【０００３】
【発明が解決しようとする課題】
しかしながら、従来例の網戸１では、枠材４で戸枠２の溝部２１内に網体３１の縁部３２を押し込むという作業が面倒で熟練を要していただけでなく、張架した網体３１に弛みを生じないようにするのに熟練が必要であった。また、戸枠２に一旦張架した網体３１を新しいものと交換する必要が生じたときに、戸枠２から網体３１を取り外す作業も面倒であった。そのため、従来例の網戸１は、戸枠２に網体３１を着脱する作業を誰もが適切に行い得るというものではなかった。
【０００４】
この点を改善するために、本願発明者は、面状ファスナーを活用して戸枠に防虫網としての網体を着脱することを試みた。
【０００５】
周知のように、面状ファスナーは、たとえば、互いに係脱可能でループ状などに形作られた多数の係止片とそれらの係止片に係脱可能でフック状などに形作られた多数の被係止片とを布や樹脂シートなどの基材に具備させた一対のファスナー要素によって形成されていて、それらのファスナー要素を互いに重ね合わせると、上記の係止片と被係止片とが係合して一対のファスナー要素が面で結合されるのに対し、結合されている一対のファスナー要素を引き剥がす方向に引張ると、上記の係止片と被係止片との係合が解かれて一対のファスナー要素が離れる。また、一対のファスナー要素は、切断などによって所定幅の帯状などに容易に形作ることができる利点がある。
【０００６】
そして、本願発明者が試行した網戸では、図６のように、網体３１の縁部３２の片面側に面状ファスナーのファスナー要素５１を取り付けることによって防虫網３を形成し、図示していない戸枠側に相手側ファスナー要素を取り付けた。その結果、この網戸では、戸枠側の相手側ファスナー要素に防虫網３のファスナー要素５１を重ね合わせるだけで戸枠に防虫網３を張架することが可能になり、また、戸枠に一旦張架した防虫網３を新しいものと交換する必要が生じたときには、防虫網３のファスナー要素５１を戸枠側のファスナー要素から引き剥がすだけで古い防虫網３を戸枠から取り外すことができるようになった。これによって、戸枠２に網体３１を着脱する作業を誰もが適切に行うことができるようになった。
【０００７】
一方、本願発明者は、図６で説明した防虫網３において、ファスナー要素５１を網体３１の縁部３２に取り付ける手段として、接着、縫合、溶着などを採用することができ、併せて、これらの手段のうちで最も量産に適する方法は溶着であることを見出した。
【０００８】
そこで、図６のようにファスナー要素５１を樹脂繊維でなる網体３１の縁部３２の片面に重ね合わせ、その重なり箇所を高周波ウェルダを用いて溶着することにより、ファスナー要素５１を網体３１の縁部３２に取り付けるという作業を行った。
【０００９】
ところが、網体３１とその網体３１の縁部３２の片面に重ね合わせたファスナー要素５１との重なり箇所を例えば高周波ウェルダを使って溶着すると、両者を溶着することができたとしても、網体３１の縁部３２を溶かすためにかなりのエネルルギー（加熱量）を必要とし、溶着箇所に見苦しいしわや裂け目などが数多く発生したり、重なり箇所の近傍で網体３１の網目が潰れたり熱変形したりするという事態が起こり、溶着箇所の外観が極端に悪くなって実用に困難を生じることが明らかになった。そこで、高周波ウェルダの出力を弱めると、ファスナー要素５１が網体３１に確実に溶着されなくなり、溶着後にすぐに剥がれてしまうという事態が生じた。さらに、セラミックスを混入した樹脂繊維で製作された弛みを生じにくい網体３１に対しても、ファスナー要素５１を溶着しずらい事態が起こった。
【００１０】
そこで、本願発明者はさらに研究を重ね、本発明を完成するに至った。
すなわち、本発明は、図７で説明した従来例の網戸が持っているような分解組立時の作業性についての問題点を、面状ファスナーを利用することによって解消し、併せて、面状ファスナーのファスナー要素を網体に取り付ける構造に工夫を講じることによって、ファスナー要素と網体の縁部との溶着箇所が良好な外観を持つ網戸用防虫網を提供することを目的とする。
【００１１】
また、本発明は、ファスナー要素と網体の縁部との溶着箇所が良好な外観を持つ上記防虫網を張架するのに適した網戸用戸枠、並びに、そのような網戸用防虫網と網戸用戸枠との組合せでなる網戸を提供することを目的とする。
【００１２】
【課題を解決するための手段】
本発明に係る網戸用防虫網は、面状ファスナーを形成している一対のファスナー要素のうちのいずれかのファスナー要素が網体の縁部に取り付けられ、そのファスナー要素が戸枠に具備された相手側ファスナー要素に着脱される網戸用防虫網であって、網体の縁部へのファスナー要素の取り付けが、網体の縁部を挟んで互いに重なり合うように折り返されたシート状又はフィルム状の溶着材の重なり箇所が溶着されてなる結合体に固定されて、上記網体の縁部に取り付けられている、というものである。
【００１３】
この発明の防虫網では、面状ファスナーのファスナー要素が網体の縁部の片面に直接に溶着で取り付けられているのではなく、そのファスナー要素が結合体を介して網体の縁部に取り付けられている。しかも、結合体は、網体の縁部を挟んで互いに重なり合うように折り返されたシート状又はフィルム状の溶着材でなり、その溶着材の重なり箇所を溶着することによって網体の縁部に固定されている。この構造で結合体と網体の縁部とが固定されるようになっている防虫網では、網体の縁部に例えば高周波ウェルダを使ってファスナー要素を取り付けるときに網体を溶融させる必要が必ずしもなくなる。すなわち、網体の縁部を挟んで２つ折り状に折り返された溶着材の重なり箇所だけを溶融させれば、その溶融部分が網体の縁部に融着あるいは網体の多数の網目を通じて溶着材の重なり箇所同士が融着されて、結合体が網体の縁部に固定され、網体を溶融させることなく、結合体を介してファスナー要素が網体の縁部に取り付けられる。したがって、この発明によれば、網体の縁部が溶潰や変形などを生じるほど溶融してしまうことに起因して生じる見苦しい溶着箇所のしわや裂け目、網目の溶潰や変形などを防止することができ、外観の良好な防虫網を提供することが可能になる。
【００１４】
さらに、この発明の防虫網は、上記ファスナー要素の網体縁部への取り付けによって、その網体の縁部を補強して弛みを生じさせないようにすることに役立つので、誰でもが弛みなく防虫網を戸枠に張架することが可能になる。また、網体の縁部を挟んで互いに重なり合うように折り返された溶着材により網体の縁部が包み込まれて防虫網の見栄えがよくなるという利点もある。
【００１５】
本発明に係る上記の網戸用防虫網では、結合体が、網体の縁部を挟んで互いに重なり合うように折り返されたシート状又はフィルム状の溶着材によって形成されているけれども、この点は、結合体を、網体の縁部を挟む両側に配備される一対の溶着材によって形成することも可能である。
【００１６】
すなわち、本発明に係る網戸用防虫網は、面状ファスナーを形成している一対のファスナー要素のうちのいずれかのファスナー要素が網体の縁部に取り付けられ、そのファスナー要素が戸枠に具備された相手側ファスナー要素に着脱される網戸用防虫網であって、網体の縁部へのファスナー要素の取り付けが、網体の縁部を挟んで互いに重なり合うように配備されたシート状又はフィルム状の一対の溶着材の重なり箇所が溶着されてなる結合体に固定されて、上記網体の縁部に取り付けられている、というものであってもよい。これによっても、上記結合体が網体の縁部に固定され、結合体を介してファスナー要素が網体の縁部に取り付けられる。したがって、網体の縁部が溶潰や変形などを生じるほど溶融してしまうことに起因して生じる見苦しい溶着箇所のしわや裂け目、網目の溶潰や変形などを防止することができ、外観の良好な防虫網を提供することが可能になる。
【００１７】
本発明に係る網戸用防虫網は、面状ファスナーを形成している一対のファスナー要素のうちのいずれかのファスナー要素が網体の縁部に取り付けられ、そのファスナー要素が戸枠に具備された相手側ファスナー要素に着脱される網戸用防虫網であって、網体の縁部へのファスナー要素の取り付けが、網体の縁部を挟んで互いに重なり合うように上記ファスナー要素とシート状又はフィルム状の溶着材が配備され、この溶着材による溶着により上記ファスナー要素と溶着材の重なり箇所が固定され、上記ファスナー要素が網体の縁部に取り付けられているものであってもよい。
これによっても、結合体が網体の縁部に融着固定されると共に、結合体が網体の縁部の編目を通じてファスナー要素に融着固定される結果、ファスナー要素を網体の縁部に取り付けることができる。そして、網体の縁部が溶潰や変形などを生じるほど溶融させる必要がなく、この網体の縁部を溶融させることに起因して生じてしまう見苦しい溶着箇所のしわや裂け目、網目の溶潰や変形などを防止することができ、外観の良好な防虫網を提供することが可能になる。
【００１８】
また、本発明では、上記溶着材の溶着を、上記網体の縁部に沿って線状に溶着することが好ましい。このようにすると、溶着材の重なり箇所の全面を高周波等によって加熱溶融させる場合に比べて、網体に加わる熱を少なく抑えることが可能になり、そのために、網体が溶潰や変形などを生じるほど溶融してしまうほど溶融させずに溶着材の重なり箇所を溶着する操作を、高度な加熱制御を行うことなく、容易に確実に行うことができる。その結果、溶着箇所の外観が良好な防虫網を安価に提供することができるようになる。
【００１９】
本発明に係る網戸用戸枠は、面状ファスナーを形成している一対のファスナー要素のうちのいずれかのファスナー要素が網体の縁部に取り付けられた防虫網が装着される網戸用戸枠であって、この網戸用戸枠には、上記防虫網のファスナー要素が着脱される相手側ファスナー要素が備えられている。この網戸用戸枠では、相手側ファスナーに防虫網のファスナー要素を重ね合わせるだけで、防虫網を装着することが可能である。
【００２０】
本発明に係る網戸は、上記した網戸用防虫網と網戸用戸枠との組合せによって形成されている。したがって、この網戸では、防虫網のファスナー要素を戸枠の相手側ファスナー要素に重ね合わせるだけで網戸として使用することが可能になり、また、防虫網のファスナー要素を戸枠の相手側ファスナー要素から引き剥がすだけで防虫網を戸枠から取り外すことが可能である。したがって、防虫網が汚れたときや破れたときなどに、誰でもが防虫網を戸枠から取り外したり戸枠に装着したりすることができるようになる。そのため、防虫網を洗濯で所謂丸洗いすることも可能になる。
【００２１】
また、この発明の網戸では、防虫網のファスナー要素が網体の縁部を補強して弛みを生じさせないようにすることに役立つので、誰でもが弛みなく防虫網を戸枠に張架することが可能になる。
【００２２】
【発明の実施の形態】
図１は本発明に係る網戸１の概略正面図、図２は図１のＩＩ−ＩＩ線に沿う部分を拡大した概略断面図、図３（Ａ）は網体３１の縁部３２にファスナー要素５１を取り付ける際の手順を説明するための説明図、同（Ｂ）は網体３１の縁部３２とファスナー要素５１との取付構造説明図、図４（Ａ）は網体３１の縁部３２にファスナー要素５１を取り付ける際の他の手順を説明するための説明図、同（Ｂ）は網体３１の縁部３２とファスナー要素５１との他の取付構造説明図、図５は溶着箇所の説明図である。
【００２３】
図１に示した網戸１は、戸枠２に矩形の防虫網３の４辺の全体を結合することによって構成されている。戸枠２は、木製や鉄製であっても、あるいはアルミニウム製サッシであってもよい。
【００２４】
防虫網３は、ナイロン繊維などの樹脂繊維、あるいはセラミック粉末を含む樹脂繊維などの樹脂繊維を使った織物又は編物などでなる矩形の網体３１を備えている。網体３１は、蚊やハエなどの虫は通過できないけれども空気流通が可能な微細な網目を備えている。そして、網体３１の縁部全体に結合体６を介して面状ファスナーのファスナー要素（図１に現れていない）が取り付けられている。
【００２５】
また、図２のように、戸枠２には面状ファスナーのファスナー要素５２が接着剤、粘着剤、両面テープその他の手段で矩形状に固着されている。そして、上記した防虫網３のファスナー要素５１が、その相手方ファスナー要素である戸枠２のファスナー要素５２に重ね合わされて両方のファスナー要素５１，５２が結合されている。したがって、戸枠２に防虫網３が一対のファスナー要素５１，５２を有する面状ファスナー５によって装着されている。
【００２６】
このように構成された網戸１によると、防虫網を戸枠２に対して位置合わせしながらそのファスナー要素５１を戸枠１のファスナー要素５２に重ね合わせて結合するだけで、防虫網３を戸枠１に装着することができる。また、防虫網３のファスナー要素５１を戸枠１のファスナー要素５２から引き剥がすだけで防虫網３を戸枠１から取り外すことができる。そのため、誰でもが容易にかつ素早く防虫網３を着脱したり交換したりすることが可能である。この作用は、防虫網３が汚れたときにその防虫網３を戸枠１から取り外して所謂丸洗いするというようなときに便利である。
【００２７】
図３（Ｂ）のように、面状ファスナー５のファスナー要素５１は、結合体６を介して網体３１の縁部３２に取り付けられている。この結合体６は網体３１の縁部３２に沿うように帯状のものが好ましい。そして、この帯状結合体６は、網体３１の縁部３２を挟んで互いに重なり合うように２つ折りに折り返されたシート状又はフィルム状の１枚の熱可塑性樹脂で作られた溶着材６１でなる。その溶着材６１の重なり箇所イを網体３１の縁部３２に溶着したり、その溶着材６１の重なり箇所イ、イ同士を網体３１の縁部３２の網目を通じて直接溶着したりすることで網体３１の縁部３２に固定されている。図例では、溶着材６１の重なり箇所イが、内外の２箇所で、網体３１の縁部３２に沿って線状に溶着されている。図３（Ｂ）には内外２箇所の溶着箇所を符号ａ，ｂで示してある。また、ファスナー要素５１は、接着、縫合、両面テープその他の適宜手段で溶着材６１に結合されている。勿論、帯状結合体６を網体３１の縁部３２に取り付ける前にファスナー要素５１と帯状結合体６を事前に溶着、接着、縫合その他の適宜手段で固定させておいてもよいし、あるいは帯状結合体６を網体３１の縁部３２に取り付ける前にファスナー要素５１と帯状結合体６を溶着または接着などしておき、帯状結合体６を網体３１の縁部３２に取り付けた後、さらに縁部３２に取り付けられたファスナー要素５１と帯状結合体６に対して縫合などするようにしてもよい。
【００２８】
図３（Ｂ）のようにファスナー要素５１を網体３１の縁部３２に取り付ける作業はたとえば次の手順で行われる。すなわち、最初の段階で、図３（Ａ）のように、ファスナー要素５１を備えた帯状結合体６の１枚の溶着材６１を網体３１の縁部３１で２つ折りに折り返すことにより、その溶着材６１で網体３１の縁部３２を挾み込む。次の段階では、たとえば高周波ウェルダを使って溶着材６１の重なり箇所イを加熱溶融させる。このときの加熱条件は、溶着材６１が溶融し、網体３１が溶融しないか、あるいは、わずかに溶融する状態に制御することが望ましい。また、高周波ウェルダでの加熱箇所を、図３（Ｂ）に符号ａ，ｂで示した箇所に定める。
【００２９】
このような溶着工程を行うと、溶着材６１の溶融部分が、網体３１の縁部３２に融着したり、あるいは網体３１の多数の網目を通じて溶着材６１の重なり箇所同士が直接融着したりする（図５）。そのため、網体３１は溶融していないか、溶融しているとしてもそれほど極端には溶融していないので、網体３１を溶融して溶着させることに起因して生じる溶着箇所ａ，ｂの見苦しいしわや裂け目、網目の溶潰や変形などが改善された外観の良好な防虫網３が得られる。また、溶着箇所ａ，ｂを線状に形成することにより、網体３１を高温度に加熱してしまうという事態を起こりにくくすることが容易に可能になるので、溶着箇所ａ，ｂが線状になっていることは、溶着箇所の外観を良好に仕上げるのに極めて有益なことである。
【００３０】
このような溶着工程を得ることによって作られた防虫網３では、網体３１がその縁部に取り付けられている帯状結合体６やファスナー要素５１により補強されて弛みを生じにくいように保形されるので、戸枠１に装着した防虫網３が弛みを生じて見苦しくなるという事態が起こりにくくなる。この作用は、網体３１が、繊維事態がしわを生じにくい腰の強さを有しているセラミック粉末を含む樹脂繊維などを使って製作されているときに、その網体３１自体の腰の強さと帯状結合体６やファスナー要素５１により補強作用とが相乗して特に顕著に発揮される。
【００３１】
以上の実施形態で説明した網戸１に用いられている防虫網３は、帯状結合体６が、網体３１の縁部３２を挟んで互いに重なり合うように折り返されたシート状又はフィルム状の１枚の溶着材６１によって形成されているけれども、この点は、帯状結合体６を、網体３１の縁部３２を挟む両側に配備される一対（たとえば２枚）の溶着材によって形成することも可能である。この事例を図４（Ａ）（Ｂ）に示してある。
【００３２】
すなわち、図４（Ａ）において、６２，６３は、網体３１の縁部３２を挟む両側に配備されたシート状又はフィルム状の２枚の溶着材を示していて、そのうちの片側の溶着材６２にファスナー要素５１が接着、溶着、縫合、両面テープなどの適宜の固定手段で具備されている。そして、２枚の溶着材６１，６２の重なり箇所イが上記の同じように溶着されて、図４（Ｂ）のようにそれらの２枚の溶着材６１，６２でなる帯状結合体６を介してファスナー要素５１が網体３１の縁部３２に取り付けられている。
【００３３】
ファスナー要素５１を網体３１の縁部３２に取り付ける作業は、たとえば次の手順で行われる。すなわち、最初の段階で、図４（Ａ）のように、ファスナー要素５１を備えた帯状結合体６の２枚の溶着材６２，６３を網体３１の縁部３１を挟む両側に重なり状に配備する。次の段階で、高周波ウェルダを使って溶着材６２，６３の重なり箇所イを加熱溶融させる。このときの加熱条件は、溶着材６１が溶融し、網体３１が全く溶融しないか、あるいは、ほとんど溶融しない状態に制御することが望ましい。また、高周波ウェルダでの加熱箇所を、図４（Ｂ）に符号ａ，ｂで示した箇所に定める。
【００３４】
このような溶着工程を行うと、図５で説明したところと同様に、溶着材６２，６３の溶融部分が網体３１の多数の網目を通じて溶着材６２，６３の重なり箇所同士を融着する。そのため、多数の網目を通じた溶融部分が硬化することによってアンカー作用を発揮し、そのアンカー作用により帯状結合体６が網体３１の縁部３２に固定される。この場合、網体３１は溶融していないか、溶融しているとしてもそれほど極端には溶融していないので、網体３１を溶融して溶着させることに起因して生じる溶着箇所ａ，ｂの見苦しいしわや裂け目、網目の溶潰や変形などが改善された外観の良好な防虫網３が得られる。また、溶着箇所ａ，ｂを線状に形成することにより、網体３１を高温度に加熱してしまうという事態を起こりにくくすることが容易に可能になるので、溶着箇所ａ，ｂが線状になっていることは、溶着箇所の外観を良好に仕上げるのに極めて有益なことである。
【００３５】
このような溶着工程を得ることによって作られた防虫網３についても、上記のように、戸枠１に装着した防虫網３が弛みを生じて見苦しくなるという事態が起こりにくくなり、網体３１が、繊維事態がしわを生じにくい腰の強さを有しているセラミック粉末を含む樹脂繊維などを使って製作されているときに、その作用が特に顕著に発揮される。
【００３６】
なお、以上の実施形態以外にも、網体３１の縁部３２へのファスナー要素５１の取り付として、網体３１の縁部３２を挟んで互いに重なり合うように上記ファスナー要素５１と溶着材６３を配備させ、この溶着材６３を高周波ウェルダ等を使って加熱溶融させて、この溶着材６３を、図４（Ｃ）に示すように、網体３１の縁部３２に溶着すると共に網体３１の縁部３２の網目を通じてファスナー要素５１に溶着することで、上記ファスナー要素５１を網体３１の縁部３２に取付けるようにしてもよい。
【００３７】
このようにしても、網体３１は溶融していないか、溶融しているとしてもそれほど極端には溶融していないので、網体３１を溶融して溶着させることに起因して生じる見苦しいしわや裂け目、網目の溶潰や変形などが改善された外観の良好な防虫網３が得られる。また、溶着箇所を線状に形成すると、網体３１を高温度に加熱してしまうという事態を起こりにくくすることが可能になるので、溶着箇所の外観を良好に仕上げるのに極めて有益なことである。
【００３８】
以上説明した各実施形態のように、溶着材の溶着箇所ａ，ｂを線状に形成する場合、内側の溶着箇所ａを、溶着材６１，６２，６３の内縁部から少し離れた箇所に定めることが望ましい。そのようにしておくと、高周波ウェルダ等を使う溶着工程で、網体３１の溶着材が重なり合っていない箇所が加熱されるという事態が起こらないので、溶着材の近傍箇所での網体３１の網目が溶潰や熱変形を確実に防止することが可能になる。また、図３で説明したように、１枚の溶着材６１を２つ折りに折り返して網体３１の縁部３２を挾み込むようにすると、網体３１の縁部３２での繊維のほつれが溶着材６１により防止されるため、繊維のほつれで防虫網３の外観が損なわれるということが起こらない利点がある。
【００３９】
なお、本発明は、溶着材の重なり箇所の全体を溶着するようにしてもよいのは勿論である。
【００４０】
【発明の効果】
以上のように、本発明に係る網戸用防虫網、網戸用戸枠及び網戸によれば、面状ファスナーを活用して防虫網を戸枠に着脱するようになっているので、分解組立時の作業性が、冒頭で説明した従来例に比べて顕著に改善されるだけでなく、面状ファスナーのファスナー要素や結合体による補強作用によって誰でもが防虫網を弛みなく戸枠に装着することができるようになる。そのため、汚れた防虫網を戸枠から取り外して丸洗いを行った後で、洗濯後の防虫網を戸枠に装着するという作業を、熟練者によらずに誰でもが容易にかつ素早く、適切に行うことができるようになる。また、ファスナー要素と網体の縁部との取付箇所が良好な外観を持っているので、戸枠に装着される防虫網の外観が見苦しくなるということもない。
【図面の簡単な説明】
【図１】本発明に係る網戸の概略正面図である。
【図２】図１のＩＩ−ＩＩ線に沿う部分を拡大した概略断面図である。
【図３】（Ａ）は網体の縁部にファスナー要素を取り付ける際の手順説明図、（Ｂ）は網体の縁部とファスナー要素との取付構造説明図である。
【図４】（Ａ）は網体の縁部にファスナー要素を取り付ける際の他の実施形態の手順説明図、（Ｂ）は網体の縁部とファスナー要素との他の実施形態の取付構造説明図、（Ｃ）は網体の縁部にファスナー要素を取り付けた更に他の実施形態の説明図である。
【図５】溶着材６１、６１同士を重ね合わせた場合の溶着箇所の説明図である。
【図６】本願出願人が試みた防虫網の要部の説明図である。
【図７】（Ａ）は従来の網戸の正面図、（Ｂ）は従来の網戸の防虫網取付手順説明図、（Ｃ）は従来の網戸の防虫網取付構造説明図である。
【符号の説明】
１　網戸
２　戸枠
３　防虫網
５　面状ファスナー
６　帯状結合体
３１　網体
３２　網体の縁部
５１，５２　ファスナー要素
６１，６２，６３　溶着材
イ　溶着材の重なり箇所
ａ，ｂ　線状の溶着箇所
【図１】
2004044270.tif 000003
【図２】
2004044270.tif 000004
【図３】
2004044270.tif 000005
【図４】
2004044270.tif 000006
【図５】
2004044270.tif 000007
【図６】
2004044270.tif 000008
【図７】
2004044270.tif 000009